(57)【要約】【課題】天板の高さに関わらず、使用者の下肢が露呈しないように幕板を設ける。【解決手段】天板昇降式什器１は、天板２１を有した上部構造体２０と、床面Ｆ上に設置され、上部構造体２０を昇降可能に支持する下部構造体１０と、天板２１と下部構造体１０との間で上下方向に延び、天板２１の下方空間を天板２１の表面に沿った方向の一方の側と他方の側とに仕切る幕板部４０Ａと、を備え、幕板部４０Ａは、上部構造体２０の昇降にともなって上下方向に伸縮する。【選択図】図３
2017086443.tif 000002
【特許請求の範囲】
【請求項１】
天板を有した上部構造体と、
床面上に設置され、前記上部構造体を昇降可能に支持する下部構造体と、
前記天板と前記下部構造体との間で上下方向に延び、前記天板の下方空間を前記天板の表面に沿った方向の一方の側と他方の側とに仕切る幕板部と、を備え、
前記幕板部は、前記上部構造体の昇降にともなって上下方向に伸縮することを特徴とする天板昇降式什器。
【請求項２】
前記幕板部は、
前記下部構造体に固定された下部幕板と、
前記上部構造体において前記天板の下方に設けられ、前記下部幕板に対して前記下部幕板の板厚方向に間隔を空けて配置された上部幕板と、を備えることを特徴とする請求項１に記載の天板昇降式什器。
【請求項３】
前記上部構造体が上昇端位置に位置した状態で、前記上部幕板の下端部が前記下部幕板の上端部よりも下方に位置していることを特徴とする請求項２に記載の天板昇降式什器。
【請求項４】
前記上部幕板は、前記天板から下方に垂下して設けられていることを特徴とする請求項２または３に記載の天板昇降式什器。
【請求項５】
前記下部構造体は、前記天板を昇降可能に支持する一対の脚体を有し、
前記下部幕板は、一対の前記脚体の間を塞ぐように設けられていることを特徴とする請求項２から４のいずれか一項に記載の天板昇降式什器。
【請求項６】
前記幕板部は、前記脚体に対し、使用者が前記天板に対向する側とは反対側に設けられていることを特徴とする請求項５に記載の天板昇降式什器。
【発明の詳細な説明】
【技術分野】
【０００１】
本発明は、デスク、テーブル、作業台、実験台等の天板昇降式什器に関する。
【背景技術】
【０００２】
オフィスや公共施設等においては、各種作業を行うことのできる天板を備えたデスク、テーブル、作業台、実験台等の天板付什器が用いられている。
天板付什器においては、使用者の姿勢、体格、性別、好み等によって、作業のしやすい天板の高さは個々に異なる。このため、天板の高さを上下に変更可能とした天板昇降式什器が使用されている。天板昇降式什器においては、使用者の要望に応じた天板高さの作業エリアを提供することができ、作業効率を向上させることができるとともに、使用者の体への負荷を軽減することができる。
【０００３】
この種の天板昇降式什器の天板の昇降機構としては、ガススプリングやギアを用いるもの、電動式駆動ユニットを用いるもの等が知られている（例えば、特許文献１〜５参照）。
【先行技術文献】
【特許文献】
【０００４】
【特許文献１】特許第３３７１９５９号公報
【特許文献２】特許第３３９１２８５号公報
【特許文献３】登録実用新案第３１６４７３９号公報
【特許文献４】特開２０１４−１１３５０５号公報
【特許文献５】特許第５７１８５０３号公報
【発明の概要】
【発明が解決しようとする課題】
【０００５】
ところで、デスク装置等の天板付什器においては、天板を支持する脚体間に幕板を設けることによって、使用者の下肢が、使用者側とは反対側に露呈しないようにしたものが多く見られている。
しかし、上述したような天板昇降式什器においては、天板を支持する脚体に対して天板の上下位置が変動する。このため、天板の高さによっては、幕板によって使用者の下肢が露呈しないようにすることができない。
そこでなされた本発明の目的は、天板の高さに関わらず、使用者の下肢が露呈しないように幕板を設けることのできる天板昇降式什器を提供することである。
【課題を解決するための手段】
【０００６】
本発明は、上記課題を解決するため、以下の手段を採用する。
この発明に係る天板昇降式什器は、天板を有した上部構造体と、床面上に設置され、前記上部構造体を昇降可能に支持する下部構造体と、前記天板と前記下部構造体との間で上下方向に延び、前記天板の下方空間を前記天板の表面に沿った方向の一方の側と他方の側とに仕切る幕板部と、を備え、前記幕板部は、前記上部構造体の昇降にともなって上下方向に伸縮することを特徴とする。
【０００７】
このような構成によれば、幕板部が上部構造体の昇降にともなって上下方向に伸縮するので、天板の高さに関わらず、幕板部により天板の下方空間を仕切ることができる。
【０００８】
また、この発明に係る天板昇降式什器において、前記幕板部は、前記下部構造体に固定された下部幕板と、前記上部構造体において前記天板の下方に設けられ、前記下部幕板に対して前記下部幕板の板厚方向に間隔を空けて配置された上部幕板と、を備えるようにしてもよい。
このように構成することで、幕板部は、下部構造体に固定された下部幕板に対し、上部構造体に設けられた上部幕板が、上部構造体の昇降とともに上下動する。これにより、幕板部が上部構造体の昇降にともなって上下方向に伸縮し、天板の高さに関わらず、幕板部により天板の下方空間を仕切ることができる。
【０００９】
また、この発明に係る天板昇降式什器において、前記上部構造体が上昇端位置に位置した状態で、前記上部幕板の下端部が前記下部幕板の上端部よりも下方に位置しているようにしてもよい。
このように構成することで、上部構造体が上昇端位置に位置した場合においても、上部幕板と下部幕板とが重合して配設されているので、上部幕板及び下部幕板の板厚方向一方の側に位置する使用者の下肢が、他方の側に対して確実に露呈しない構成とすることができる。
【００１０】
また、この発明に係る天板昇降式什器において、前記上部幕板は、前記天板から下方に垂下して設けられているようにしてもよい。
このように構成することで、天板の下方で、上部幕板によって使用者の下肢等を隠すことができる。また、上部幕板を天板に設けることで、上部構造とともに昇降する上部幕板が、下部構造体と干渉するのを回避することができる。
【００１１】
また、この発明に係る天板昇降式什器において、前記下部構造体は、前記天板を昇降可能に支持する一対の脚体を有し、前記下部幕板は、一対の前記脚体の間を塞ぐように設けられているようにしてもよい。
このように構成することで、脚体の間から使用者の下肢等が見えるのを防ぐことができる。また、下部幕板を一対の脚部材に固定することによって、使用者の下肢やワゴン等が下部幕板に突き当たったときに、下部幕板を確実に固定しておくことができる。
【００１２】
また、この発明に係る天板昇降式什器において、前記幕板部は、前記脚体に対し、使用者が前記天板に対向する側とは反対側に設けられているようにしてもよい。
このように構成することで、使用者が天板に対向して天板昇降式什器を使用する際に、使用者の下肢等が幕板部に干渉するのを避けつつ、使用者側とは反対側から見たときに使用者の下肢等が露呈するのを防ぐことができる。
【発明の効果】
【００１３】
この発明に係る天板昇降式什器によれば、天板の高さに関わらず、使用者の下肢が露呈しないように幕板を設けることが可能となる。
【図面の簡単な説明】
【００１４】
【図１】この発明の一実施形態に係る天板昇降式什器を斜め前方から見た斜視図である。
【図２】上記天板昇降式什器の側面図である。
【図３】上記天板昇降式什器の上部構造体を上昇端位置まで上昇させた状態を示す側面図である。
【図４】上記天板昇降式什器の第１変形例を示す側面図である。
【図５】上記天板昇降式什器の第２変形例を示す側面図である。
【図６】上記天板昇降式什器の第３変形例を示す側面図である。
【発明を実施するための形態】
【００１５】
以下、添付図面を参照して、本発明による天板昇降式什器を実施するための形態を説明する。しかし、本発明はこの実施形態のみに限定されるものではない。
図１は、この発明の一実施形態に係る天板昇降式什器を斜め前方から見た斜視図である。図２は、上記天板昇降式什器の側面図である。図３は、上記天板昇降式什器の上部構造体を上昇端位置まで上昇させた状態を示す側面図である。
図１〜図３に示すように、天板昇降式什器１は、天板２１を備える上部構造体２０と、床面Ｆ上に設置されて上部構造体２０を支持する下部構造体１０と、を備える。
【００１６】
下部構造体１０は、一対の脚部材１１，１１と、これら一対の脚部材１１，１１間を連結する連結部材（図示無し）と、を備える。
【００１７】
脚部材１１，１１は、天板２１の長辺方向（以下、この方向を幅方向と適宜称する。）に間隔をあけて配置されている。
各脚部材１１は、下部支持体１２と、上部支持体１３と、昇降ユニット１４と、を備えている。
【００１８】
下部支持体１２は、床面Ｆ上に配置され、天板２１の短辺方向（以下、この方向を前後方向と適宜称する。）に延びる。下部支持体１２の下面１２ｕには、下部支持体１２の高さ及びレベルの調整を行うアジャスター１２ａが設けられている。
【００１９】
上部支持体１３は、天板２１の幅方向両側に設けられ、それぞれ前後方向に延びるよう、天板２１の下面２１ｕにボルト等で固定されている。
【００２０】
昇降ユニット１４は、上下方向に延び、下部支持体１２と上部支持体１３とを連結するよう設けられている。昇降ユニット１４は、平断面寸法が互いに異なる複数の筒状体１４ａ，１４ｂ，１４ｃを備えている。昇降ユニット１４は、最も平断面寸法が大きな筒状体１４ａの内側に筒状体１４ｂが挿入され、筒状体１４ｂの内側に筒状体１４ｃが挿入されている。図示しない駆動機構によって、筒状体１４ａに対し、その内側に挿入された筒状体１４ｂ，１４ｃが上下方向に出没する。このようにして、昇降ユニット１４は上下方向に伸縮し、上部支持体１３を下部支持体１２に対して上下方向に昇降可能に支持する。
【００２１】
連結部材（図示無し）は、天板２１の下面２１ｕに沿って幅方向に延び、一対の脚部材１１，１１の上部支持体１３，１３を連結するように設けられている。
【００２２】
上部構造体２０は、平面視長方形の板状で、上面に作業面２１ｔを有した天板２１を備えている。天板２１は、脚部材１１，１１の上部支持体１３，１３、および連結部材（図示無し）の上面に支持されて設けられている。
【００２３】
天板２１の前端部２１ｆの下面２１ｕには、昇降ユニット１４，１４の昇降動作を操作する操作部２２が設けられている。操作部２２は、操作部２２の操作入力に応じて昇降ユニット１４，１４の動作を制御する制御ユニット（図示無し）に、配線ケーブルを介して接続されている。制御ユニット（図示無し）は、例えば、天板２１の下面２１ｕや連結部材（図示無し）に固定されている。
使用者が操作部２２に対して所定の操作を入力すると、操作部２２から配線ケーブル（図示無し）を介し、制御ユニット（図示無し）に操作信号が送信される。制御ユニット（図示無し）は、操作部２２から操作信号を受信すると、受信した信号に基づいて昇降ユニット１４，１４に昇降動作を実行させる指令信号を出力する。昇降ユニット１４，１４は、指令信号を受け取ると、その指令信号に応じて伸縮駆動され、これによって天板２１の高さの調整がなされる。
【００２４】
このような天板昇降式什器１は、天板２１の下方空間を天板２１の下面２１ｕに沿った方向の一方の側と他方の側とに仕切る幕板部４０Ａを備えている。幕板部４０Ａは、天板２１と下部構造体１０との間で上下方向に延び、上部構造体２０の昇降にともなって上下方向に伸縮する。
この実施形態において、幕板部４０Ａは、上部構造体２０において天板２１の下方に設けられた上部幕板４１と、下部構造体１０に固定された下部幕板４３と、を備えている。
【００２５】
図２、図３に示すように、上部幕板４１は、天板２１の後端部２１ｒ側の下側に設けられている。上部幕板４１は、上端部４１ｕがＬ字状のブラケット４２を介して天板２１の下面２１ｕに固定されている。上部幕板４１は、上端部４１ｕから下端部４１ｂに向かって鉛直下方に垂下している。
図２に示すように、上部幕板４１は、天板２１の後端２１ｓに対し、前方にオフセットした位置に設けられている。
【００２６】
図１に示すように、下部幕板４３は、一対の脚部材１１，１１の後ろ側で、一対の脚部材１１，１１の間を塞ぐように設けられている。下部幕板４３は、各脚部材１１に、脚部材１１に沿って設けられたスペーサ４４を介して固定されている。
下部幕板４３は、下端部４３ｂが下部支持体１２の所定寸法上方に位置し、上端部４３ｕに向かって脚部材１１に沿って鉛直上方に延びている。下部幕板４３は、上部幕板４１に対して下部幕板４３の板厚方向前方に配置され、上部幕板４１と下部幕板４３との間に前後方向に隙間を空けて設けられている。
【００２７】
上部構造体２０の天板２１を下部構造体１０に対して昇降させたときに、前後方向から見て、上部幕板４１と下部幕板４３とが常に少なくとも一部が重なり合うようにするのが好ましい。
すなわち、図２に示すように、天板２１を下降端位置Ｐ１まで下降させたときに、上部幕板４１の下端部４１ｂが、床面Ｆや下部支持体１２に接触しないよう、床面Ｆおよび下部支持体１２よりも上方に位置するように設けるのが好ましい。また、天板２１を下降端位置Ｐ１まで下降させたときに、下部幕板４３の上端部４３ｕが天板２１の下面２１ｕに接触しないよう、下面２１ｕよりも下方に位置するように設けるのが好ましい。
また、図３に示すように、天板２１を上昇端位置Ｐ２まで上昇させたときに、上部幕板４１の下端部４１ｂが、下部幕板４３の上端部４３ｕよりも下方に位置するように設けるのが好ましい。
【００２８】
上述したような天板昇降式什器１によれば、幕板部４０Ａが上部構造体２０の昇降にともなって上下方向に伸縮するので、天板２１の高さに関わらず、幕板部４０Ａにより天板２１の下方空間Ｓを仕切ることができる。したがって、上部幕板４１側から見たときに使用者の下肢等が露呈しない。
【００２９】
また、幕板部４０Ａは、下部構造体１０に固定された下部幕板４３に対し、上部構造体２０に設けられた上部幕板４１が、上部構造体２０の昇降とともに上下動する。これにより、幕板部４０Ａが上部構造体２０の昇降にともなって上下方向に伸縮し、天板２１の高さに関わらず、幕板部４０Ａにより天板２１の下方空間Ｓを仕切ることができる。
【００３０】
また、天板昇降式什器１において、上部構造体２０が上昇端位置Ｐ２に位置した状態で、上部幕板４１の下端部４１ｂが下部幕板４３の上端部４３ｕよりも下方に位置している。このように構成することで、上部構造体２０が上昇端位置Ｐ２に位置した場合においても、上部幕板４１と下部幕板４３とが重合して配設されているので、上部幕板４１及び下部幕板４３の板厚方向一方の側に位置する使用者の下肢が、他方の側に対して確実に露呈しない構成とすることができる。
【００３１】
また、上部幕板４１は、天板２１から下方に垂下して設けられている。このように構成することで、天板２１の下方で、上部幕板４１によって使用者の下肢等を隠すことができる。また、上部幕板４１を天板２１に設けることで、上部構造体２０とともに昇降する上部幕板４１が、下部構造体１０と干渉するのを回避することができる。
【００３２】
また、下部構造体１０は、天板２１を昇降可能に支持する一対の脚部材１１を有し、下部幕板４３は、一対の脚部材１１の間を塞ぐように設けられている。このように構成することで、脚部材１１の間から使用者の下肢等が見えるのを防ぐことができる。また、下部幕板４３を一対の脚部材１１に固定することによって、使用者の下肢やワゴン等が下部幕板４３に突き当たったときに、下部幕板４３を確実に固定しておくことができる。
【００３３】
また、上部幕板４１は、天板２１の後端２１ｓよりも天板２１の内周側にオフセットした位置に設けられている。このように構成することで、天板２１の外周部において、上部幕板４１に対向する側である後方に着座する使用者の下肢が、上部幕板４１に干渉するのを抑えることができる。
【００３４】
また、幕板部４０は、脚部材１１，１１に対し、使用者が天板２１に対向する側とは反対側、つまり脚部材１１，１１の後ろ側に設けられている。これにより、使用者が天板２１の前端部２１ｆに対向して天板昇降式什器１を使用する際に、使用者の下肢等が幕板部４０に干渉するのを避けつつ、使用者側とは反対側から見たときに使用者の下肢等が露呈するのを防ぐことができる。
【００３５】
（実施形態の変形例）
上記実施形態では、幕板部４０Ａとして、上部幕板４１と下部幕板４３とを備える構成としたが、これに限らない。幕板部４０Ａは、上部構造体２０の昇降にともなって上下方向に伸縮するのであれば、他の構成としてもよい。
【００３６】
（第１変形例）
図４は、上記天板昇降式什器の第１変形例を示す側面図である。
この図４に示すように、幕板部４０Ｂは、上部幕板４１および下部幕板４３に加え、中間幕板４７を備えるようにしてもよい。この場合、上部幕板４１は、上記実施形態と同様、天板２１の下面２１ｕに固定し、下部幕板４３は、下部構造体１０に固定する。
中間幕板４７は、昇降ユニット１４の筒状体１４ｂの上端部に、ブラケット４８を介して固定する。この中間幕板４７は、上部幕板４１と下部幕板４３の間に配置するのが好ましい。
【００３７】
このような構成によれば、上部構造体２０を昇降させる際に、昇降ユニット１４が上下方向に伸縮するのにともなって、上部幕板４１と中間幕板４７が上下動する。これによって、幕板部４０Ｂは、上部構造体２０の昇降にともなって上下方向に伸縮する。
【００３８】
なお、図４の例では、幕板部４０Ｂを上部幕板４１，中間幕板４７、下部幕板４３からなる３段構成としたが、４段以上の構成とすることも可能である。
【００３９】
（第２変形例）
図５は、上記天板昇降式什器の第２変形例を示す側面図である。
図５に示すように、幕板部４０Ｃは、上端部４５ａを天板２１の下面２１ｕに固定し、下端部４５ｂを下部構造体１０に固定し、上端部４５ａと下端部４５ｂとの間に、上下方向に伸縮可能な蛇腹状のスクリーン４５を設けるようにしてもよい。
このような構成によれば、幕板部４０Ｃは、上部構造体２０の昇降にともなってスクリーン４５が上下に伸展することで、上下方向に伸縮する。
【００４０】
（第３変形例）
図６は、上記天板昇降式什器の第３変形例を示す側面図である。
図６に示すように、幕板部４０Ｄは、平断面寸法が互いに異なる複数の平断面視筒状のパネル体４６ａ，４６ｂ，４６ｃを備えた構成とすることもできる。幕板部４０Ｄは、最も平断面寸法が大きなパネル体４６ａの内側にパネル体４６ｂが挿入され、パネル体４６ｂの内側にパネル体４６ｃが挿入されている。パネル体４６ｃの上端は天板２１の下面２１ｕに固定され、パネル体４６ａの下端部は下部構造体１０に固定されている。このような幕板部４０Ｄは、図示しない駆動機構によって、パネル体４６ａに対し、その内側に挿入されたパネル体４６ｂ，４６ｃを上下方向に出没させる。
このようにして、幕板部４０Ｄは上部構造体２０の昇降にともなって上下方向に伸縮する。
【００４１】
（その他の実施形態）
なお、本発明の天板昇降式什器は、図面を参照して説明した上述の実施形態に限定されるものではなく、その技術的範囲において様々な変形例が考えられる。
例えば、天板昇降式什器１の下部構造体１０は、天板２１が昇降可能であれば、例えば、脚部材１１の構造、配置、設置本数等を、他のいかなる構成としても良い。例えば、昇降ユニット１４を、上記実施形態で示したのと上下逆向きに設けてもよい。
また、天板昇降式什器１は、その用途を限るものではなく、デスク装置の他、作業台、実験台、テーブル、カウンター等の用途のものであってもよい。
これ以外にも、本発明の主旨を逸脱しない限り、上記実施の形態で挙げた構成を取捨選択したり、他の構成に適宜変更したりすることが可能である。
【符号の説明】
【００４２】
１  天板昇降式什器
１０  下部構造体
１１  脚部材（脚体）
２０  上部構造体
２１  天板
２１ｕ  下面（表面）
４０Ａ〜４０Ｄ  幕板部
４１  上部幕板
４１ｂ  下端部
４３  下部幕板
４３ｕ  上端部
Ｆ  床面
Ｐ２  上昇端位置
Ｓ  下方空間
【図１】
2017086443.tif 000003
【図２】
2017086443.tif 000004
【図３】
2017086443.tif 000005
【図４】
2017086443.tif 000006
【図５】
2017086443.tif 000007
【図６】
2017086443.tif 000008